(57)【要約】【課題】データベースに格納される情報は、品質が良ければデータベース共有者には有益な情報としてメリットがあるが、品質が良くないとその情報を利用した人全てに何かしらの悪影響を及ぼす。【解決手段】情報提供者は先ず小規模なデータベースに情報を格納する。格納された情報は小規模データベース内で共有され公開される。この小規模データベース内の利用頻度が高く且つ品質情報が良好な公開情報に関しては、自動的に中規模なデータベースに格納される。この様に、各データベースに於いて利用頻度が高く且つ品質情報が良好な公開情報のみを段階的に共有の範囲を広げることにより、品質が良く利用頻度の高い情報のみをデータベースに格納することができる。【選択図】図１
2008003872.tif 000002
【特許請求の範囲】
【請求項１】
データベース利用者に対する公開範囲が段階的に拡大される小規模データベース，中規模データベース，大規模データベースから成り、
前記各データベースは、
公開情報および該公開情報の属性を書き入れるための情報テンプレートをセットで蓄積し、当該公開情報を公開情報利用者が閲覧した公開情報アクセス回数をカウントして前記情報テンプレートに記録する公開情報蓄積部と、
データベースのシステム管理者によって設定される公開情報アクセス回数閾値およびアクセス回数比較間隔を記憶する閾値情報部と、
前記閾値情報部の公開情報アクセス回数閾値と前記情報テンプレート内の公開情報アクセス回数とを前記閾値情報部のアクセス回数比較間隔で比較して比較結果を記憶し、比較結果が閾値を超える公開情報アクセス回数の場合は、その旨を前記公開情報蓄積部に通達する公開情報アクセス監視部を有し、
前記公開情報蓄積部は、前記通達を受けると、公開情報と情報テンプレートを公開範囲の広い所定のデータベースに移動させることを特徴とするデータベースシステム。
【請求項２】
前記公開情報蓄積部は公開情報格納日を記憶することと、
前記閾値情報部は公開情報の保管期間閾値および保管期間比較間隔を記憶することと、
情報テンプレート内の公開情報格納日により定まる公開情報の保管期間が、前記閾値情報部の保管期間閾値を超えていないかを前記閾値情報部の保管期間比較間隔で比較して比較結果を記憶し、保管期間が超えた公開情報は、その旨を前記公開情報蓄積部に通達する保管期間監視部を設けたことと、
前記公開情報蓄積部は、前記通達を受けると、当該公開情報蓄積部の蓄積能力を確認し、蓄積能力がなければ、公開情報と情報テンプレートをセットで公開情報蓄積部から削除し、公開情報蓄積部の蓄積能力がある場合は削除せず蓄積しておくことを特徴とする請求項１記載のデータベースシステム。
【請求項３】
前記情報テンプレート内の品質情報を常時監視して公開情報の不具合を検出すると不具合情報を前記公開情報蓄積部に通知すると共に、前記情報テンプレート内の情報利用者ＩＤ項目および情報提供者ＩＤを参照し、その公開情報提供者および公開情報利用者のすべてに公開情報の不具合を連絡する不具合情報監視部を設けたことと、
前記公開情報蓄積部は、上記通知により不具合のあった公開情報の閲覧を中止し、公開情報と情報テンプレートを公開情報蓄積部から削除することとを特徴とする請求項１または請求項２記載のデータベースシステム。
【発明の詳細な説明】
【技術分野】
【０００１】
本発明はネットワーク通信等を利用して公開情報を提供するデータベースシステムに関する。
【背景技術】
【０００２】
近年、パソコンの低価格化やＡＤＳＬ，光ファイバー等のインターネット高速回線環境の整備および価格の安定化が整ってきたことにより、一般家庭においてもインターネット利用者が増加してきている。インターネット利用者が多くなるにつれ、公開される情報も増えているが、その中には有益でない情報も含まれてきている。
【０００３】
そこで、情報提供者から提供された情報を、先ずは一時公開し、一時公開された情報は、情報公開者，情報提供者，情報利用者により評価した後、信頼性が高いとされたもののみを正式公開情報とすることにより、正式公開される情報に対する信頼性を高めるという公開情報評価システムが開示されている（例えば、特許文献１参照）。
【０００４】
【特許文献１】特開２００２−１４０５３６号公報（第４頁−第６頁、図１）
【発明の開示】
【発明が解決しようとする課題】
【０００５】
しかしながら、上述した従来の公開情報評価システムでは、利用者の全てが信頼性の低い一時公開情報を閲覧できることにより、一時公開情報に何らかの不具合があった場合、それを利用した情報利用者全てに悪影響を及ぼすという第１の問題点がある。
【０００６】
また、情報公開者，情報提供者，情報利用者の全てが一時公開情報に対して評価を行った後、情報公開者が評価結果を解析し正式公開情報と判断するので、情報公開者の負荷が高くなると共に正式情報を公開するまでの時間と労力が多大になるという第２の問題点がある。
【０００７】
更に、正式公開情報は、信頼性は高いが整理する手段がないので、今後使用されない不要な公開情報がデータベース内に蓄積され、データベースの蓄積情報量が増大し、定期的なデータベース情報量の確認およびデータベース情報蓄積量の拡大を図る必要があるという第３の問題点がある。
【０００８】
そこで、本発明の第１の目的は、公開情報を篩いにかけながら、段階的に公開範囲を広げることにより、信頼性があり且つ利用頻度の高い公開情報のみをデータベースに自動的に格納することができるデータベースシステムを提供することにある。
【０００９】
また、本発明の第２の目的は、公開情報に何らかの不具合が発生した場合でも、公開情報利用者への影響を最小限に抑えることができるデータベースシステムを提供することにある。
【００１０】
更に、本発明の第３の目的は、データベース内の公開情報を自動整理することにより、データベースの蓄積情報量が増大した場合でも、定期的なデータベース情報量の確認およびデータベース情報蓄積量の拡大をする必要のないデータベースシステムを提供することにある。
【課題を解決するための手段】
【００１１】
情報提供者が情報端末を使用して公開情報を登録する際、小規模データベースにアクセスし、小規模データベースに公開情報を登録する。登録にあたっては、公開情報毎に付随する情報テンプレートに必要な情報を入力し、公開情報＋情報テンプレートを１セットとし小規模データベースに登録する。小規模データベースは登録された情報を小規模データベース内で公開する。
【００１２】
公開された情報は、小規模データベース内で、一定期間、公開情報に対するアクセス回数および品質情報を監視するとともに情報テンプレートに記録する。公開情報に付随する情報テンプレート中の公開情報アクセス回数と小規模データベースがもつ公開情報アクセス回数閾値を比較し、比較結果が閾値情報の条件を満たしていれば、品質が良く利用頻度の高い公開情報と自動的に判断され、中規模データベースへ移動され公開範囲が拡大される。中規模データベースに移動した公開情報は中規模データベース内で公開される。なお、データベースの持つ公開情報アクセス回数閾値はシステム管理者が設定する。
【００１３】
小規模データベースの持つ公開情報アクセス回数閾値の条件を満たさない場合、公開情報の持つ情報テンプレート中の公開情報格納日と小規模データベースがもつ保管期間の閾値情報を比較する。比較結果が閾値情報の条件を満たさず、且つ小規模データベース内の空き容量が無い場合、小規模データベースより削除する。なお、データベースの持つ保管期間閾値情報はシステム管理者が設定する。
【００１４】
即ち、公開情報アクセス回数が閾値に達せず且つ保管期間閾値を超過した利用頻度の低い公開情報と判断された場合は、小規模データベース内に空き容量がなげれば公開情報を削除する。そして、公開情報を削除する際は、その旨を情報提供者及び情報利用者に通知する。それ以外の時は公開情報を小規模データベース内に保持したまま公開情報アクセス回数、品質情報の監視を続ける。
【００１５】
また、公開情報の持つ情報テンプレート中の品質情報にて不具合が報告されれば、小規模データベース内で、その不具合情報の公開を禁止する。さらに不具合が発生した公開情報の情報提供者および情報利用者全員に、公開情報の不具合内容及び不具合の発生した公開情報を削除する旨の通知を行う。その後、不具合発生の公開情報を小規模データベースより削除する。
【００１６】
小規模データベースから中規模データベースへと公開範囲を拡大した公開情報は、中規模データベース内で小規模データベース時と同様の処理をする。すなわち、一定期間、公開情報に対するアクセス回数および品質情報を監視するとともに情報テンプレートに記録する。公開情報の持つ情報テンプレート中の公開情報アクセス回数と中規模データベースがもつ公開情報アクセス回数閾値を比較し、比較結果が閾値情報の条件を満たしていれば、品質が良く利用頻度の高い公開情報と自動的に判断され、大規模データベースへ移動され公開範囲が拡大される。大規模データベースに移動した公開情報は大規模データベース内で公開される。なお、データベースの持つ公開情報アクセス回数閾値はシステム管理者が設定する。
【００１７】
中規模データベースの持つ公開情報アクセス回数閾値の条件を満たさない場合、公開情報の持つ情報テンプレート中の公開情報格納日と中規模データベースがもつ保管期間の閾値情報を比較する。比較結果が閾値情報の条件を満たさず且つ中規模データベース内の空き容量が無い場合、中規模データベースより削除する。なお、データベースの持つアクセス保管期間閾値情報はシステム管理者が設定する。
【００１８】
即ち、公開情報アクセス回数が閾値に達せず且つ保管期間閾値を超過した利用頻度の低い公開情報と判断された場合は、中規模データベース内に空き容量がなければ公開情報を削除する。そして、公開情報を削除する際は、その旨を情報提供者及び情報利用者に通知する。それ以外の時は公開情報を中規模データベース内に保持したまま公開情報アクセス回数、品質情報の監視を続ける。
【００１９】
また、公開情報の持つ情報テンプレート中の品質情報にて不具合が報告されれば、中規模データベース内で、その不具合情報の公開を禁止する。さらに不具合が発生した公開情報の情報提供者及び情報利用者全員に、公開情報の不具合内容及び不具合の発生した公開情報を削除する旨の通知を行う。その後、不具合発生の公開情報を中規模データベースより削除する。
【００２０】
中規模データベースから大規模データベースへと公開範囲を拡大した公開情報は、大規模データベース内で、一定期間、公開情報に対するアクセス回数および品質情報を監視するとともに情報テンプレートに記録する。公開情報の持つ情報テンプレート中の公開情報アクセス回数と大規模データベースがもつ公開情報アクセス回数閾値を比較し、比較結果が閾値情報の条件を満たしていれば、品質が良く利用頻度の高い公開情報と自動的に判断され、公開情報アクセス回数、品質情報の監視を続ける。なお、データベースの持つ公開情報アクセス回数閾値はシステム管理者が設定する。
【００２１】
大規模データベースの持つ公開情報アクセス回数閾値の条件を満たさない場合、公開情報の持つ情報テンプレート中の公開情報格納日と大規模データベースがもつ保管期間の閾値情報を比較する。比較結果が閾値情報の条件を満たさず、且つ大規模データベース内の空き容量が無い場合、大規模データベースより削除する。なお、データベースの持つアクセス保管期間閾値情報はシステム管理者が設定する。
【００２２】
即ち、公開情報アクセス回数が閾値に達せず且つ保管期間を超過した利用頻度の低い公開情報と判断された場合は、大規模データベース内に空き容量がなげれば公開情報を削除する。そして、公開情報を削除する際は、その旨を情報提供者及び情報利用者に通知する。それ以外の時は公開情報を大規模データベース内に保持したまま公開情報アクセス回数、品質情報の監視を続ける。
【００２３】
また、公開情報の持つ情報テンプレート中の品質情報にて不具合が報告されれば、大規模データベース内で、その不具合情報の公開を禁止する。さらに不具合が発生した公開情報の情報提供者及び情報利用者全員に、公開情報の不具合内容及び不具合の発生した公開情報を削除する旨の通知を行う。その後、不具合発生の公開情報を大規模データベースより削除する。
【発明の効果】
【００２４】
本発明は、小規模／中規模／大規模データベース毎に公開情報について段階的に篩にかける構成としたため、利用頻度が高く信頼性の高い情報のみが情報公開され、また公開情報不具合発生時の影響も最小限に抑えることができるという第１の効果を得ることができる。
【００２５】
更に、利用頻度の低い情報はデータベースから自動的に削除されるので、定期的なデータベース情報量の確認およびデータベース情報蓄積量の拡大をする必要がないという第２の効果もある。
【発明を実施するための最良の形態】
【００２６】
次に、本発明のデータベースシステムについて図面を参照して詳細に説明する。
【００２７】
［構成の説明］
図１は、本発明のデータベースシステムの一実施例のブロック図を示す。この本データベースシステムは、大別するとデータベース部1000，アクセス権識別部および情報端末部から構成されている。
【００２８】
情報端末部は、40個の情報端末501〜540（代表参照番号を500とする）から成り、情報端末500は情報提供者端末，情報公開者端末および情報利用者端末の総称である。つまり、情報端末500は情報提供者によって使用される情報提供者端末であったり、システム管理者によって使用される情報公開者端末であったり、公開情報利用者によって使用される情報利用者端末であったりする。これらのデータベース使用者は、情報端末500にてデータベースへのアクセス用ＩＤを入力することによりデータベースへのアクセスが可能となる。情報端末500は、公開情報の登録，閲覧，検索，データベースの閾値情報設定，不具合情報入力等の機能を有する。
【００２９】
データベース部1000は、大規模データベース100と、２つの中規模データベース201，202（代表参照番号を200とする）と、４つの小規模データベース301，302，303，304（代表参照番号を300とする）から構成される。大規模データベース100，中規模データベース200，小規模データベース300とは、データベース利用者に対する公開範囲の広狭に対応して三段階に区分されたデータベースであって、公開範囲は大規模データベース100が最も広い。
【００３０】
図１において点線で示すように、小規模データベース301または小規模データベース302内に格納されている公開情報は“格上げ”されると中規模データベース201へ移り、小規模データベース303または小規模データベース304内に格納されている公開情報は“格上げ”されると中規模データベース202へ移る。そして、中規模データベース201または中規模データベース202内に格納されている公開情報は更に“格上げ”されると大規模データベース100へ移る。
【００３１】
大規模データベース，中規模データベース，小規模データベースは、企業であれば、例えば、それぞれ事業部，部，グループに公開されたデータベースに対応する。情報端末501〜510は、情報提供者端末としては、図１において細線の実線で示すように、小規模データベース301にのみデータの登録が可能であって、一つのグループで使用される。同様に、情報端末511〜520は小規模データベース302、情報端末521〜530は小規模データベース303、情報端末531〜540は小規模データベース304に対応する。
【００３２】
また、登録したデータに何らかの不具合、つまり利用されては困るようなデータが発見された場合には、図１において細線の点線で示すように、情報端末501〜510からは小規模データベース301，中規模データベース201，大規模データベース100の全てに不具合データの登録をすることができる。同様に、情報端末511〜520からは小規模データベース302，中規模データベース201，大規模データベース100の全て、情報端末521〜530からは小規模データベース303，中規模データベース202，大規模データベース100の全て、情報端末531〜540からは小規模データベース304，中規模データベース202，大規模データベース100の全てに不具合データの登録をすることができる。
【００３３】
小規模データベース301は、図１において実線で示すように、情報利用者端末としての情報端末501〜510によってのみアクセスされるが、中規模データベース201は情報端末501〜520、大規模データベース100は情報端末501〜540によってアクセス可能である。このように、小規模データベース300，中規模データベース200，大規模データベース100というように、公開範囲が段階的に拡大されるのである。
【００３４】
アクセス権識別部は、４つのアクセス権識別部401〜404（代表参照番号を400とする）から成り、データベース部1000と情報端末501〜540の間に位置し、アクセス権識別部401は情報端末501〜510、アクセス権識別部402は情報端末511〜520、アクセス権識別部403は情報端末521〜530、アクセス権識別部404は情報端末531〜540と接続されている。アクセス権識別部400は、情報端末500で入力されたアクセス用ＩＤを確認してデータベースにて認められているＩＤが入力された時のみ、そのデータベースに接続を可能にする機能を有する。
【００３５】
アクセス権識別部400は、情報端末部500からの大規模データベース100，中規模データベース200，小規模データベース300いずれのデータベースに対するアクセスに対しても、そのアクセス権を検証して認証されたアクセスのみを認める。アクセス権識別部400は、各小規模データベース300に対して並行したデータの登録と利用を可能とするために小規模データベース300と１対１対応、すなわち、情報端末501〜510に対応してアクセス権識別部401、情報端末511〜520に対応してアクセス権識別部402、情報端末521〜530に対応してアクセス権識別部403、情報端末531〜540に対応してアクセス権識別部404が設けられている。
【００３６】
図１における小規模データベース300，中規模データベース200および大規模データベース100は同構成であって、その詳細を図２におけるデータベース10により示している。図２を参照すると、データベース10は、公開情報蓄積部11，閾値情報部12，公開情報アクセス監視部13，保管期間監視部14 および不具合情報監視部15から構成されている。
【００３７】
公開情報蓄積部11は、情報端末500を使用して情報提供者が提供する公開情報を、アクセス権識別部400を介して公開情報1Aとして蓄積する機能を有する。このとき、公開情報1Aと情報テンプレート1Bがセットで管理される。公開情報1Aと情報テンプレート1Bをセットで管理することにより、公開情報毎に公開情報の履歴および状態（品質，使用頻度，公開範囲，登録日等）が把握できる。情報テンプレート1Bは、図３に示すように、項目Ａ〜Ｉにより公開情報1Aの属性を書き入れるためのものである。
【００３８】
公開情報蓄積部11は、公開情報1Aの公開情報アクセス回数をカウントする。公開情報アクセス回数とは、公開情報1Aを公開情報利用者が閲覧した回数を言う。そして、公開情報蓄積部11でカウントした公開情報アクセス回数は、情報テンプレート1Bの公開情報アクセス回数項目Ｇに自動的に記録される。また、公開情報1Aの情報利用者をアクセス時に認識して情報テンプレート1Bの情報利用者ＩＤ項目Ｈに自動的に記録する。そして、公開情報蓄積部11は、公開情報1Aが保管されているデータベースの規模を情報テンプレート1B内のデータベース項目Ｉに自動で記入する。
【００３９】
不具合情報監視部15は、公開情報1Aに不具合が発生していないかを監視するために、情報テンプレート1B内の品質情報Ｈを常時監視する。そして、公開情報の不具合を検出すると不具合情報を公開情報蓄積部11に通知する。また、公開情報の不具合を検出すると公開情報蓄積部11に保管されている情報テンプレート1B内の情報利用者ＩＤ項目Ｈおよび情報提供者ＩＤ項目Ｅを参照し、公開情報の不具合をその公開情報提供者および公開情報利用者のすべてに不具合の連絡をする。不具合の連絡が完了すると公開蓄積部11に通知する。公開情報蓄積部11は、この通知により、不具合のあった公開情報1Aの閲覧を中止し、公開情報1Aと情報テンプレート1Bを公開情報蓄積部11から削除する。
【００４０】
閾値情報部12は、データベース10のシステム管理者が、情報端末500を使用しアクセス権識別部400を介して設定した閾値を記憶する。システム管理者が設定するデータベース10の設定とは、データベース10の公開情報アクセス回数閾値，保管期間閾値，アクセス回数比較間隔および保管期間比較間隔の設定を言う。閾値情報部12は記憶した各種閾値情報を公開情報アクセス監視部13および保管期間監視部14に送出する機能を有する。
【００４１】
公開情報アクセス監視部13は、閾値情報部12の公開情報アクセス回数閾値と情報テンプレート1B内の公開情報アクセス回数Ｇとを閾値情報部12のアクセス回数比較間隔で比較して比較結果を記憶する。そして、比較結果が閾値を超える公開情報アクセス回数の場合は、その旨を公開情報蓄積部11に通達する。
【００４２】
公開情報蓄積部11は公開情報アクセス監視部13から上記比較結果の情報を受けると、公開情報1Aと情報テンプレート1Bをセットで公開範囲の広いデータベースに移動させる。ただし、大規模データベースの場合はこのデータベース移動機能を持たない。
【００４３】
保管期間監視部14は、情報テンプレート1B内の公開情報格納日Ｄにより定まる公開情報1Aの保管期間が、閾値情報部12からの保管期間閾値を超えていないかを、閾値情報部12からの保管期間比較間隔で比較し、その比較結果を記憶する。保管期間が超えた公開情報は、その旨を公開情報蓄積部11に通達する。
【００４４】
公開情報蓄積部11は保管期間監視部14から上記比較結果の情報を受けると、公開情報蓄積部11の蓄積能力を確認し、蓄積能力がなければ、公開情報1Aと情報テンプレート1Bをセットで公開情報蓄積部11から削除する。但し、公開情報蓄積部11の蓄積能力がある場合は削除せず蓄積しておく。
【００４５】
［動作の説明］
次に、以上のように構成された本データベースシステムの動作について、図４〜図10に示すフローチャートを参照しながら、初期値設定，公開情報登録，公開情報閲覧，公開情報の公開範囲拡大，公開情報不具合処理の各場合に分けて説明する。
【００４６】
（１）初期値設定
本データベースシステム全体を管理する管理者をシステム管理者と言う。先ず、システム管理者は、データベースシステム運用時に必要な設定、すなわち、小規模／中規模／大規模データベースの公開情報アクセス回数閾値，保管期間閾値，アクセス回数比較間隔および保管期間比較間隔から成る初期値を設定する（図４）。
【００４７】
システム管理者は例えば情報端末501を使用して、データベースの閾値設定のためにシステム管理者ＩＤを入力する（図４のステップA1）。システム管理者ＩＤ（Identification）とは、システム管理者に割り当てられた番号である。システム管理者ＩＤを入力すると、アクセス権識別部400内のアクセス権識別部401にて、システム管理者ＩＤであるか判断を行なう（ステップA2）。システム管理者ＩＤでないと判断された場合、データベースの閾値情報部12にアクセスできないことから閾値設定および比較間隔設定もできず終了となる。
【００４８】
アクセス権識別部401にて、システム管理者ＩＤであると判断された場合、システム管理者は、情報端末501からアクセス権識別部401を介して、データベース毎に設定されている、図３の閾値情報部12にアクセス可能となり（ステップA3）、公開情報アクセス回数閾値，保管期間閾値，アクセス回数比較間隔および保管期間比較間隔の設定ができる（ステップA4）。
【００４９】
アクセス回数比較間隔とは、公開情報1Aの登録日を起点として、公開情報1Aのアクセス回数比較を行なう間隔である。保管期間比較間隔とは、公開情報1Aの登録日を起点として、公開情報1Aの保管期間比較を行なう間隔である。ここでは説明上、アクセス回数比較間隔≦保管期間比較間隔とする。これらの設定は、小規模データベース301，中規模データベース201，大規模データベース100毎に行なう。
【００５０】
（２）公開情報登録
データベースに公開情報を提供する提供者を情報提供者と言う。情報提供者が公開情報を例えば小規模データベース301に登録する公開情報登録方法の一例について図５を参照して説明する。
【００５１】
情報提供者が例えば情報端末501を使用してユーザーＩＤを入力する（図５のステップB1）。ユーザーＩＤ（Identification）とは、本データベースシステム利用者個人個人に割り当てられた番号を言う。ユーザーＩＤを入力すると、アクセス権識別部401にて、入力されたＩＤがデータベースシステム利用者用ＩＤであるか判断する（ステップB2）。入力されたユーザーＩＤがデータベースシステム利用者用ＩＤでないと判断された場合は、公開情報の登録，閲覧または不具合情報の選択ができず終了となる。
【００５２】
データベースシステム利用者用ＩＤであると判断された場合、情報端末501にて公開情報の登録，閲覧および不具合情報を選択することができる。ここでは、登録に関する説明なので登録を選択した場合を説明する。公開情報の登録を選択すると、公開情報登録機能を持つ小規模データベース301にアクセス可能なユーザーＩＤであるかをアクセス権識別部401にて判断する（ステップB3）。
【００５３】
小規模データベース301にアクセス可能なユーザーＩＤであると判断された場合、情報端末501より小規模データベース301にアクセスすることが可能となり公開情報の登録ができる（ステップB4）。この例の場合、情報端末511〜540からの登録は拒否される。入力されたユーザーＩＤが、小規模データベース301にアクセスできないユーザーＩＤと判断された場合は、小規模データベース301にアクセスすることができず終了となる。
【００５４】
情報端末501により公開情報を登録する場合、公開情報に付随される情報テンプレート1Bに必要な情報を入力する（ステップB5）。登録時に必要な情報テンプレート情報は、図３に示した情報テンプレート1Bの詳細中の情報カテゴリＡ，情報タイトルＢ，情報内容Ｃ，公開情報格納日Ｄおよび情報提供者名（情報提供者ＩＤ）Ｅの各項目である。なお、ユーザーＩＤを入力すると、情報提供者名項目Ｅに情報提供者名が自動的に表示される。ユーザーＩＤは表示されないが情報テンプレート1B内にユーザーＩＤ番号は保管される。
【００５５】
入力が完了すると、公開情報1Aと情報テンプレート1Bの１セットで小規模データベース301内の公開情報蓄積部11に自動的に登録することができる。そして、公開情報蓄積部11に自動的に登録の際、公開情報蓄積部11にて、情報テンプレート1Bのデータベース項目Ｉに“小規模データベース”と自動入力され登録完了となる（ステップB6）。
【００５６】
（３）公開情報閲覧
情報利用者がデータベースの公開情報を閲覧する場合の公開情報閲覧方法について図６を参照して説明する。
【００５７】
情報利用者は例えば情報端末501を使用してユーザーＩＤを入力する（図６のステップC1）。ユーザーＩＤを入力すると、アクセス権識別部401にて、入力されたＩＤがデータベースシステム利用者用ＩＤであるか判断する（ステップC2）。データベース格納システム利用者用ＩＤであると判断された場合、情報端末501にて、公開情報の登録，閲覧または不具合情報を選択することができる。入力されたユーザーＩＤが、データベース格納システム利用者用ＩＤでないと判断された場合は、公開情報の登録、閲覧および不具合情報の選択が出来ず終了となる。
【００５８】
ここでは、閲覧に関する説明なので閲覧を選択した場合を説明する。公開情報の閲覧を選択した後、小規模データベース／中規模データベース／大規模データベースの内、どのデータベースの公開情報蓄積部11に蓄積されている公開情報の中から公開情報1Aを閲覧したいか、または全てのデータベースの公開情報蓄積部11に蓄積されている公開情報の中から、公開情報1Aを閲覧するかを選択する（ステップC3）。ここでは、一例として小規模データベース301の公開情報蓄積部11に蓄積されている公開情報の中から、公開情報1Aを閲覧するために“小規模データベース”を選択したとする。
【００５９】
小規模データベースを選択すると小規模データベース301にアクセス可能なユーザーＩＤであるかをアクセス権識別部401にて判断する（ステップC4）。入力されたユーザーＩＤが、小規模データベース301にアクセスできないユーザーＩＤと判断された場合は、小規模データベース301にアクセスすることができず終了となる。
【００６０】
小規模データベース１にアクセス可能なユーザーＩＤであると判断された場合、情報端末501により小規模データベース301にアクセスすることが可能となり、小規模データベース301の公開情報1Aの閲覧ができる（ステップC5）。
【００６１】
情報端末501により、小規模データベース301にアクセスすることが可能となった後、情報端末501により、閲覧したい公開情報1Aの情報タイトルＢを入力する。公開情報1Aの情報タイトルBが入力された後、公開情報蓄積部11にて情報タイトルＢを基に公開情報1Aを検索する（ステップC6）。公開情報1Aの検索ができると情報端末501にて公開情報1Aを閲覧することができる（ステップC7）。
【００６２】
また、閲覧する公開情報1Aの情報テンプレート1Bの内容も閲覧できる。そして、情報利用者が公開情報1Aを閲覧すると、公開情報蓄積部11にて公開情報閲覧者のユーザーＩＤを検出して、情報テンプレート1B内の情報利用者ＩＤ項目Ｈに自動的に入力される（ステップC8）。また、情報利用者が公開情報1Aの閲覧を終了すると、公開情報蓄積部11にて、情報テンプレート1B内の公開情報アクセス回数Ｇを自動的に１カウントＵＰする（ステップC9）。公開情報1Aの修正および変更は公開情報提供者以外できないことは言うまでもない。
【００６３】
（４）公開情報の公開範囲拡大
小規模データベース301内の公開情報蓄積部11に登録された公開情報1Aは、小規模データベース301にて篩いをかけられた後、小規模データベース301が持つ閾値を超えた公開情報1Aのみが中規模データベース201の公開情報蓄積部11に移動され公開情報1Aの公開範囲が拡大される。更に、小規模データベース301から中規模データベース201の公開情報蓄積部11に移動された公開情報1Aは、中規模データベース201にて篩いをかけられた後、中規模データベース201が持つ閾値を超えた公開情報1Aのみが大規模データベース100の公開情報蓄積部11に移動され、利用頻度が高く、且つ高品質な公開情報1Aとして、広く公開することができる。この“公開情報の公開範囲を段階的に拡大する”方法について図７および図８を参照して説明する。
【００６４】
4.1 小規模データベース→中規模データベース
小規模データベース301に登録された公開情報1Aは、システム管理者が設定したアクセス回数比較間隔により比較日になったら、公開情報1Aに付随する情報テンプレート1B内の公開情報アクセス回数Ｇと、システム管理者が小規模データベース301内の閾値情報部12に設定したアクセス回数閾値との比較という篩いにかけられる（図７のステップD1，D2）。
【００６５】
比較結果が閾値情報の条件を満たしていれば、品質が良く利用頻度の高い公開情報と自動的に判断され、中規模データベース201へ移動されて公開範囲が拡大される（ステップD3）。中規模データベース201へ移動された公開情報1Aは、中規模データベース201の公開情報蓄積部11により、公開情報1Aに付随する情報テンプレート1B内のデータベース項目Ｉを自動的に“中規模データベース”に書き換えてから、中規模データベース201の公開情報1Aとして公開される。
【００６６】
一方、小規模データベース201の持つ公開情報アクセス回数閾値の条件を満たさない場合、保管期間比較日になったら、公開情報1Aに付随する情報テンプレート1B内の公開情報格納日Ｄと、システム管理者が小規模データベース301内の閾値情報部12に設定した保管期間閾値との比較という篩いにかける（ステップD4）。
【００６７】
比較結果が閾値情報の条件を満たさない場合、即ち公開情報アクセス回数Ｇが閾値に達せず、または保管期間閾値を超過した利用頻度の低い公開情報1Aと判断され、小規模データベース301内の公開情報蓄積部11の空き容量情報を確認し（ステップD5）、空き容量がない場合、公開情報蓄積部11は小規模データベース301から公開情報1Aおよび公開情報1Aに付随する情報テンプレート1Bをセットで削除する。同時に、公開情報蓄積部11は、情報テンプレート1B内の情報登録者ＩＤ項目Ｅおよび情報利用者ＩＤ項目Ｈにより、情報提供者および情報利用者に公開情報1Aを削除した旨を通知する（ステップD6）。
【００６８】
また、各種比較結果が閾値情報の条件を満たす場合および各種比較結果が閾値情報の条件を満たさないが小規模データベース301内の公開情報蓄積部11の空き容量がある場合は、次の各種比較日まで公開情報1Aは小規模データベース301の公開情報1Aとして保持さる（ステップD7）。
【００６９】
4.2 中規模データベース→大規模データベース
小規模データベース301から中規模データベース201へと公開範囲を拡大された公開情報1Aは、中規模データベース201内で小規模データベース301におけるのと同様の処理がされる。即ち、中規模データベース201に登録された公開情報1Aは、システム管理者が設定したアクセス回数比較間隔により比較日になったら、公開情報1Aに付随する情報テンプレート1B内の公開情報アクセス回数Ｇと、システム管理者が中規模データベース201内の閾値情報部12に設定したアクセス回数閾値との比較という篩いにかけられる（ステップD8，図８のステップD9）。
【００７０】
比較結果が閾値情報の条件を満たしていれば、品質が良く利用頻度の高い公開情報と自動的に判断され、大規模データベース100へ移動されて公開範囲が拡大される（ステップD10）。大規模データベース100へ移動された公開情報1Aは、大規模データベース100の公開情報蓄積部11により、公開情報1Aに付随する情報テンプレート1B内のデータベース項目Ｉを自動的に大規模データベースに書き換えてから、大規模データベース100の公開情報1Aとして公開される。
【００７１】
一方、中規模データベース201の持つ公開情報アクセス回数閾値の条件を満たさない場合、保管期間比較日になったら、公開情報1Aに付随する情報テンプレート1B内の公開情報格納日Ｄと、システム管理者が中規模データベース201内の閾値情報部12に設定した保管期間閾値との比較という篩いにかける（ステップD11）。
【００７２】
比較結果が閾値情報の条件を満たさない場合、即ち公開情報アクセス回数Ｇが閾値に達せず、または保管期間閾値を超過した利用頻度の低い公開情報1Aと判断され、中規模データベース201内の公開情報蓄積部11の空き容量情報を確認し（ステップD12）、空き容量がない場合、公開情報蓄積部11は中規模データベース201から公開情報1Aおよび公開情報1Aに付随する情報テンプレート1Bをセットで削除する。同時に、公開情報蓄積部11は、情報テンプレート1B内の情報登録者ＩＤ項目Ｅおよび情報利用者ＩＤ項目Ｈにより、情報提供者および情報利用者に公開情報1Aを削除した旨を通知する（ステップD13）。
【００７３】
また、各種比較結果が閾値情報の条件を満たす場合および各種比較結果が閾値情報の条件を満たさないが中規模データベース201内の公開情報蓄積部11の空き容量がある場合は、公開情報1Aは中規模データベース201の公開情報1Aとして次の各種比較日まで保持される（ステップD14）。
【００７４】
4.3 大規模データベース
中規模データベース201から大規模データベース100へと公開範囲を拡大された公開情報1Aは、大規模データベース100内で、中規模データベース201におけるのと同様の処理がされる。即ち、大規模データベース100に登録された公開情報1Aは、システム管理者が設定したアクセス回数比較間隔により比較日になったら、公開情報1Aに付随する情報テンプレート1Ｂ内の公開情報アクセス回数Ｇと、システム管理者が大規模データベース100内の閾値情報部12に設定した公開情報アクセス回数閾値との比較という篩いにかけられる（ステップD15，D16）。
【００７５】
比較結果が閾値情報の条件を満たしていれば、品質が良く利用頻度の高い公開情報と自動的に判断され、公開情報1Aは大規模データベース100の公開情報1Aとして次の各種比較日まで保持さる（ステップD20）。
【００７６】
一方、大規模データベース100の持つ公開情報アクセス回数閾値の条件を満たさない場合、システム管理者が設定した保管期間比較日になったら、公開情報1Aに付随する情報テンプレート1B内の公開情報格納日Ｄと、システム管理者が大規模データベース100内の閾値情報部12に設定した保管期間閾値との比較という篩いにかける（ステップD17）。
【００７７】
比較結果が閾値情報の条件を満たさない場合、即ち公開情報アクセス回数Ｇが閾値に達せず、または保管期間閾値を超過した利用頻度の低い公開情報1Aと判断され、大規模データベース100内の公開情報蓄積部11の空き容量を確認し（ステップD18）、空き容量がない場合、大規模データベース100より公開情報1Aおよび公開情報1Aに付随する情報テンプレート1Bをセットで削除する。と同時に、公開情報蓄積部11は、情報テンプレート1A内の情報登録者ＩＤ項目Ｅおよび情報利用者ＩＤ項目Ｈにより、情報提供者よび情報利用者に公開情報1Aを削除した旨を通知する（ステップD19）。
【００７８】
また、各種比較結果が閾値情報の条件を満たす場合の他、各種比較結果が閾値情報の条件を満たさないが大規模データベース100内の公開情報蓄積部11の空き容量がある場合は、公開情報1Aは大規模データベース100の公開情報1Aとして次の各種比較日まで保持される。
【００７９】
（５）公開情報不具合処理
情報利用者または公開情報提供者が公開情報の不具合を発見した場合の公開情報不具合処理方法について図９および図10を参照して説明する。
【００８０】
公開情報の不具合を発見した情報利用者または公開情報提供者は、例えば情報端末501を使用してユーザーＩＤを入力する（図９のステップE1）。ユーザーＩＤを入力すると、アクセス権識別部501にて、入力されたＩＤが本データベースシステム利用者用ＩＤであるか判断する（ステップE2）。データベース格納システム利用者用ＩＤであると判断された場合、情報端末501にて、公開情報の登録，閲覧または不具合情報を選択することができる（ステップE3）。入力されたユーザーＩＤが、データベースシステム利用者用ＩＤでないと判断された場合は、公開情報の登録，閲覧および不具合情報の選択ができず終了となる。ここでは、不具合情報に関する説明なので不具合情報を選択した場合を説明する。
【００８１】
不具合情報を選択した後、小規模データベース／中規模データベース／大規模データベースを選択して、選択したデータベースの公開情報蓄積部11に蓄積されている公開情報1Aの中から不具合情報処理する公開情報1Aを検索するか、または全てのデータベースの公開情報蓄積部11に蓄積されている公開情報の中から不具合情報処理をする公開情報1Aを検索／処理するか選択する（ステップE3）。ここでは、一例として全てのデータベースの公開情報蓄積部11に蓄積されている公開情報の中から不具合情報処理をする公開情報1Aを検索／処理するために“全てのデータベース”を選択した場合について説明する。
【００８２】
全てのデータベースを選択すると、小規模データベース301，中規模データベース201および大規模データベース100にアクセス可能なユーザーＩＤであるかをアクセス権識別部401にて判断する（ステップE4）。小規模データベース301，中規模データベース201および大規模データベース100にアクセス可能なユーザーＩＤであると判断された場合、情報端末501により、小規模データベース301、中規模データベース201および大規模データベース100の公開情報蓄積部11に同時アクセスが可能となる（ステップE5）。
【００８３】
次に、データベースの公開情報蓄積部11に同時アクセスが可能となった後、情報端末501により公開情報1Aの検索を行なう（ステップE6）。公開情報1Aの検索が完了したら、公開情報1Aに付随する情報テンプレート1B内の品質情報F1に“ＮＧ”と入力すると共に品質情報詳細F2に不具合内容を記載する（ステップE7，E8）。各データベース内の不具合情報監視部15は、情報テンプレート1B内の品質情報F1および品質情報詳細F2を常に監視していることから、品質情報F1の“ＮＧ”を検出すると、直ちに公開情報蓄積部11に不具合検出情報を送出する（図１０のステップE9）。不具合情報監視部15からの不具合検出情報（品質情報F1＝ＮＧ）により、公開情報蓄積部11は、不具合が発生した公開情報1Aの閲覧を禁止する（ステップE10）。一方、不具合情報監視部15は、品質情報F1＝ＮＧを検出しない場合、品質情報F1および品質情報詳細F2の監視を継続する。
【００８４】
次に、不具合情報監視部15は、情報テンプレート1B内の品質情報詳細F2の不具合情報詳細入力状況を監視する。不具合情報監視部15は、不具合情報詳細F2入力が完了したことを検出すると、情報テンプレート1B内の情報提供者ＩＤ項目Ｅおよび情報利用者ＩＤ項目Ｈを参照して、自動的に公開情報提供者および公開情報利用者（公開情報閲覧者）に公開情報不具合通知として連絡する（ステップE11）。連絡する公開情報不具合通知の内容は、情報テンプレート1B内の品質情報詳細F2内容および削除する旨である。連絡の方法については、電子メール等いろいろな方法があることは言うまでもない。そして、公開情報蓄積部11に公開情報不具合通知処理が完了した旨を連絡する。なお、不具合情報監視部15は、品質情報詳細F2に不具合情報詳細入力が未完了の場合、品質情報詳細入力完了まで品質情報詳細F2の監視を継続する。
【００８５】
その後、公開情報蓄積部11は、不具合が発生した公開情報1Aおよび公開情報1Aに付随する情報テンプレート1Bをセットで削除する（ステップE11）。但し、情報テンプレート1A内の品質情報F1＝ＮＧ、且つ品質情報詳細F2＝未入力の状態が所定期間継続した場合は、情報F1＝ＮＧをF1＝ＯＫに自動的に戻し、閲覧中止の公開情報は閲覧可能となる。
【図面の簡単な説明】
【００８６】
【図１】本発明のデータベースシステムブロック図
【図２】図１におけるデータベースの詳細ブロック図
【図３】図２における情報テンプレートの詳細を示す図
【図４】初期値設定のフローチャート
【図５】公開情報登録のフローチャート
【図６】公開情報閲覧のフローチャート
【図７】公開情報の公開範囲を段階的に拡大する方法の前半のフローチャート
【図８】公開情報の公開範囲を段階的に拡大する方法の後半のフローチャート
【図９】不具合処理の前半のフローチャート
【図１０】不具合処理の後半のフローチャート
【符号の説明】
【００８７】
10        データベース
11        公開情報蓄積部
12        閾値情報部
13        公開情報アクセス監視部
14        保管期間監視部
15        不具合情報監視部
1A        公開情報
1B        情報テンプレート
Ａ        情報カテゴリ
Ｂ        情報タイトル
Ｃ        情報内容
Ｄ        公開情報格納日
Ｅ        情報提供者ＩＤ
F1        品質情報
F2        品質情報詳細
Ｇ        公開情報アクセス回数
Ｈ        情報利用者ＩＤ
Ｉ        データベース
100       大規模データベース
201〜202  中規模データベース
301〜304  小規模データベース
401〜404  アクセス権識別部
501〜540  情報端末
1000      データベース部
【図１】
2008003872.tif 000003
【図２】
2008003872.tif 000004
【図３】
2008003872.tif 000005
【図４】
2008003872.tif 000006
【図５】
2008003872.tif 000007
【図６】
2008003872.tif 000008
【図７】
2008003872.tif 000009
【図８】
2008003872.tif 000010
【図９】
2008003872.tif 000011
【図１０】
2008003872.tif 000012